(57)【要約】      （修正有）【課題】光ファイバからの照射光を容易確実に遮断して、安全性を高めると共に、コストを低減した光コネクタプラグ及び光コネクタを提供する。【解決手段】プラグフレーム保持孔２１内に傾斜自在に保持され遮蔽位置から非遮蔽位置まで先端部が移動する遮蔽板７０と、傾斜自在に保持され遮蔽板７０と共に傾斜する動作板８０とを具備し、遮蔽板７０が遮蔽位置に移動した際にプラグフレーム３０を遮蔽板７０及び動作板８０が干渉しない収納位置まで後退可能とし、プラグフレーム３０が収納位置に移動した際に、遮蔽板７０が遮蔽位置となるように遮蔽板７０及び動作板８０を位置決め付勢する付勢保持手段９０を設け、プラグフレーム３０をプラグハウジング２０の先端部側に移動させた際に、プラグフレーム３０の移動により傾斜される動作板８０を介して遮蔽板７０が非遮蔽位置まで傾斜してプラグハウジング２０の光接続位置への移動を許容する。【選択図】        図２
2005189839.tif 000002
【特許請求の範囲】
【請求項１】
少なくとも光ファイバを保持したフェルールを保持するプラグフレームと、プラグフレームが軸方向に移動自在に保持される軸方向に貫通したプラグフレーム保持孔を有するプラグハウジングとを具備する光コネクタプラグであって、
基端部を介して前記プラグハウジングのプラグフレーム保持孔の一方側に傾斜自在に保持されると共に前記フェルールの先端面を遮蔽する遮蔽位置から前記プラグフレームの移動を許容する非遮蔽位置まで先端部が移動する遮蔽板と、前記プラグフレーム保持孔内の前記遮蔽板の内側の前記一方側に基端部が傾斜自在に保持されると共に先端部側で前記遮蔽板に当接又は係合して当該遮蔽板と共に傾斜する動作板とを具備し、且つ前記遮蔽板が前記遮蔽位置に移動した際に前記プラグフレームを前記遮蔽板及び前記動作板が干渉しない収納位置まで後退可能とし、前記プラグフレームが前記収納位置に移動した際に、前記遮蔽板が前記遮蔽位置となるように前記遮蔽板及び前記動作板を位置決め付勢する付勢保持手段を設ける一方、前記プラグフレームを前記プラグハウジングの先端部側に移動させた際に、当該プラグフレームの移動により傾斜される当該動作板を介して前記遮蔽板が前記非遮蔽位置まで傾斜して当該プラグハウジングの光接続位置までの移動を許容するようにしたことを特徴とする光コネクタプラグ。
【請求項２】
請求項１において、前記遮蔽板及び前記動作板は、当該遮蔽板の先端部が前記プラグフレーム保持孔の前記基端部が保持された一方側とは反対の他方側の面に当接することにより、前記遮蔽位置に位置決めされていることを特徴とする光コネクタプラグ。
【請求項３】
請求項１において、前記遮蔽板及び前記動作板は、当該遮蔽板を前記遮蔽位置で前記動作板との係合により当該遮蔽位置に位置決め保持されていることを特徴とする光コネクタプラグ。
【請求項４】
請求項１〜３の何れかにおいて、前記動作板の先端部が前記遮蔽板に当接しており、前記付勢保持手段が、前記動作板を前記遮蔽位置から前記非遮蔽位置となる方向に付勢する動作板付勢手段と、前記遮蔽板を前記非遮蔽位置から前記遮蔽位置となる方向に前記動作板付勢手段よりも大きな付勢力で付勢する遮蔽板付勢手段とで構成されていることを特徴とする光コネクタプラグ。
【請求項５】
請求項３において、前記動作板の先端部側が前記遮蔽板に係合しており、前記付勢保持手段が、前記遮蔽板又は前記動作板を前記非遮蔽位置から前記遮蔽位置となる方向に付勢するものであることを特徴とする光コネクタプラグ。
【請求項６】
請求項１〜５の何れかにおいて、前記遮蔽板及び前記動作板が、前記プラグハウジングに保持されていることを特徴とする光コネクタプラグ。
【請求項７】
請求項１〜５の何れかにおいて、前記遮蔽板及び前記動作板が、遮蔽板枠に保持されて遮蔽板組立体となっていると共に、前記遮蔽板組立体が、前記プラグハウジングに固定されていることを特徴とする光コネクタプラグ。
【請求項８】
請求項１〜７の何れかにおいて、前記遮蔽板が基端部側に設けられた遮蔽板軸を介して回転自在に保持されており、前記動作板が基端部側に設けられた動作板軸を介して回転自在に保持されていることを特徴とする光コネクタプラグ。
【請求項９】
請求項１〜７の何れかにおいて、前記遮蔽板及び前記動作板が板ばねからなると共に、前記遮蔽板及び前記動作板はそれ自体が前記付勢保持手段となっていることを特徴とする光コネクタプラグ。
【請求項１０】
請求項１〜９の何れかにおいて、前記プラグハウジングがＳＣ型又はＭＵ型光コネクタアダプタに係合される形状を有することを特徴とする光コネクタプラグ。
【請求項１１】
請求項１〜１０の何れかにおいて、前記遮蔽板及び前記動作板は、前記非遮蔽位置から前記遮蔽位置まで移動した際に、前記フェルールの先端面に当接しないように設けられていることを特徴とする光コネクタプラグ。
【請求項１２】
請求項１〜１１の何れかにおいて、前記動作板の先端部には、当接凹部が設けられていると共に、前記プラグフレームが前記収容位置に位置し且つ前記動作板が前記フェルール側に移動した際に、前記当接凹部が前記フェルールの側面に当接する位置に配置されていることを特徴とする光コネクタプラグ。
【請求項１３】
請求項１〜１２の何れかの光コネクタプラグを具備することを特徴とする光コネクタ。
【発明の詳細な説明】
【技術分野】
【０００１】
本発明は、光ファイバの先端を保持し、光ファイバ同士を光接続させる光コネクタプラグ及び光コネクタに関する。
【背景技術】
【０００２】
従来、光通信等に用いられる光ファイバ同士の光接続は、光ファイバの先端を保持した光コネクタプラグと、光コネクタプラグ同士を固定して光ファイバの光接続を行う光コネクタアダプタとを有する光コネクタを用いた方法や、光ファイバの先端面同士を融着させる方法により行われていた。
【０００３】
融着による光ファイバ同士の光接続では、光ファイバの光接続の着脱が行えないという問題や、融着工程が煩雑であるという問題から使用に制限があるという問題がある。
【０００４】
このため、光ファイバを保持する外径が、２．５ｍｍのフェルール用筒状体を用いて光接続を行うＳＣ型光コネクタや、光ファイバを保持する外径が、１．２５ｍｍのフェルール用筒状体を用いた比較的小型化されたＭＵ型光コネクタなどを用いることで、光ファイバの融着工程を不要として、光ファイバの光接続の着脱を容易に行っている。
【０００５】
また、近年、電話局から各家庭までの加入者線を結ぶアクセス網を光ファイバ化し、高速な通信環境を構築するFiber To The Home（ＦＴＴＨ）が普及されている。そして、光ファイバ通信には、一般的に波長１．３〜１．５５μｍの赤外線が使われているが、その出力は増加する傾向にある。
【０００６】
また、光コネクタプラグの外周に先端面を覆うように稼動するカバーを設け、カバーによって光コネクタプラグの先端面を覆って、光ファイバの先端面を塵、指紋及び水しぶき等の汚染物から保護したものが提案されている（例えば、特許文献１及び２参照）。
【０００７】
しかしながら、従来のＳＣ型、ＭＵ型等の光コネクタプラグでは、保持した光ファイバの先端面から光が照射されてしまうため、この照射光が人体、特に目などの局部に一定時間当たると、人体に悪影響を与えてしまう虞があるという問題がある。
【０００８】
特に、ＦＴＴＨなどの普及により家庭内に引き込まれる光ファイバの先端を保持した光コネクタプラグには、高い安全性が求められるが、ＦＴＴＨで使用される一般的なＳＣ型、ＭＵ型等の光コネクタプラグには、照射光を防止する対策が成されておらず、危険性が高いという問題がある。
【０００９】
また、光通信が高出力化されるほど、光ファイバの先端からの照射光が人体に悪影響を及ぼす危険性が高まるという問題がある。
【００１０】
さらに、上述した特許文献１及び２には、光ファイバの先端面を汚染物から保護するためにカバーを設けた光コネクタプラグが開示されているが、このカバーによって光ファイバの先端から照射される照射光も遮蔽することができる。しかしながら、このようなカバーを設けた光コネクタプラグは、カバーが光コネクタプラグの外周面に設けられて稼働するようになっており、光コネクタプラグの外形形状が従来とは異なってしまう。また、光コネクタプラグ同士を対向接続させる光コネクタアダプタにおいても、カバーが設けられた光コネクタプラグの形状に合わせて従来とは異なる形状で形成しなくてはならず、製造コストが高価となってしまうという問題がある。
【００１１】
また、カバーが設けられた光コネクタは、従来のＳＣ型、ＭＵ型等の光コネクタとは異なる新たな規格としなくてはならず、従来のＳＣ型、ＭＵ型等の光コネクタとは互換性がなく、このような新たな規格のカバー付き光コネクタをＳＣ型やＭＵ型の光コネクタを用いた既存の設備に適用する場合、既存の設備を全て交換しなくてはならず、高コストになってしまうという問題がある。
【００１２】
【特許文献１】特開平７−２８１０５５号公報（第４〜６頁、第１、７及び８図）
【特許文献２】特開２００２−１５６５５７号公報（第４〜６頁、第１、７及び８図）
【発明の開示】
【発明が解決しようとする課題】
【００１３】
本発明はこのような事情に鑑み、光ファイバからの照射光を容易に且つ確実に遮断して、安全性を高めると共に、製造コスト及び導入コストを低減した光コネクタプラグ及び光コネクタを提供することを課題とする。
【課題を解決するための手段】
【００１４】
上記課題を解決する本発明の第１の態様は、少なくとも光ファイバを保持したフェルールを保持するプラグフレームと、プラグフレームが軸方向に移動自在に保持される軸方向に貫通したプラグフレーム保持孔を有するプラグハウジングとを具備する光コネクタプラグであって、基端部を介して前記プラグハウジングのプラグフレーム保持孔の一方側に傾斜自在に保持されると共に前記フェルールの先端面を遮蔽する遮蔽位置から前記プラグフレームの移動を許容する非遮蔽位置まで先端部が移動する遮蔽板と、前記プラグフレーム保持孔内の前記遮蔽板の内側の前記一方側に基端部が傾斜自在に保持されると共に先端部側で前記遮蔽板に当接又は係合して当該遮蔽板と共に傾斜する動作板とを具備し、且つ前記遮蔽板が前記遮蔽位置に移動した際に前記プラグフレームを前記遮蔽板及び前記動作板が干渉しない収納位置まで後退可能とし、前記プラグフレームが前記収納位置に移動した際に、前記遮蔽板が前記遮蔽位置となるように前記遮蔽板及び前記動作板を位置決め付勢する付勢保持手段を設ける一方、前記プラグフレームを前記プラグハウジングの先端部側に移動させた際に、当該プラグフレームの移動により傾斜される当該動作板を介して前記遮蔽板が前記非遮蔽位置まで傾斜して当該プラグハウジングの光接続位置までの移動を許容するようにしたことを特徴とする光コネクタプラグにある。
【００１５】
本発明の第２の態様は、第１の態様において、前記遮蔽板及び前記動作板は、当該遮蔽板の先端部が前記プラグフレーム保持孔の前記基端部が保持された一方側とは反対の他方側の面に当接することにより、前記遮蔽位置に位置決めされていることを特徴とする光コネクタプラグにある。
【００１６】
本発明の第３の態様は、第１の態様において、前記遮蔽板及び前記動作板は、当該遮蔽板を前記遮蔽位置で前記動作板との係合により当該遮蔽位置に位置決め保持されていることを特徴とする光コネクタプラグにある。
【００１７】
本発明の第４の態様は、第１〜３の何れかの態様において、前記動作板の先端部が前記遮蔽板に当接しており、前記付勢保持手段が、前記動作板を前記遮蔽位置から前記非遮蔽位置となる方向に付勢する動作板付勢手段と、前記遮蔽板を前記非遮蔽位置から前記遮蔽位置となる方向に前記動作板付勢手段よりも大きな付勢力で付勢する遮蔽板付勢手段とで構成されていることを特徴とする光コネクタプラグにある。
【００１８】
本発明の第５の態様は、第３の態様において、前記動作板の先端部側が前記遮蔽板に係合しており、前記付勢保持手段が、前記遮蔽板又は前記動作板を前記非遮蔽位置から前記遮蔽位置となる方向に付勢するものであることを特徴とする光コネクタプラグにある。
【００１９】
本発明の第６の態様は、第１〜５の何れかの態様において、前記遮蔽板及び前記動作板が、前記プラグハウジングに保持されていることを特徴とする光コネクタプラグにある。
【００２０】
本発明の第７の態様は、第１〜５の何れかの態様において、前記遮蔽板及び前記動作板が、遮蔽板枠に保持されて遮蔽板組立体となっていると共に、前記遮蔽板組立体が、前記プラグハウジングに固定されていることを特徴とする光コネクタプラグにある。
【００２１】
本発明の第８の態様は、第１〜７の何れかの態様において、前記遮蔽板が基端部側に設けられた遮蔽板軸を介して回転自在に保持されており、前記動作板が基端部側に設けられた動作板軸を介して回転自在に保持されていることを特徴とする光コネクタプラグにある。
【００２２】
本発明の第９の態様は、第１〜７の何れかの態様において、前記遮蔽板及び前記動作板が板ばねからなると共に、前記遮蔽板及び前記動作板はそれ自体が前記付勢保持手段となっていることを特徴とする光コネクタプラグにある。
【００２３】
本発明の第１０の態様は、第１〜９の何れかの態様において、前記プラグハウジングがＳＣ型又はＭＵ型光コネクタアダプタに係合される形状を有することを特徴とする光コネクタプラグにある。
【００２４】
本発明の第１１の態様は、第１〜１０の何れかの態様において、前記遮蔽板及び前記動作板は、前記非遮蔽位置から前記遮蔽位置まで移動した際に、前記フェルールの先端面に当接しないように設けられていることを特徴とする光コネクタプラグにある。
【００２５】
本発明の第１２の態様は、第１〜１１の何れかの態様において、前記動作板の先端部には、当接凹部が設けられていると共に、前記プラグフレームが前記収納位置に位置し且つ前記動作板が前記フェルール側に移動した際に、前記当接凹部が前記フェルールの側面に当接する位置に配置されていることを特徴とする光コネクタプラグにある。
【００２６】
本発明の第１３の態様は、第１〜１２の何れかの態様の光コネクタプラグを具備することを特徴とする光コネクタにある。
【発明の効果】
【００２７】
本発明によれば、プラグフレームがプラグハウジング内を移動するだけで、遮蔽板がフェルールの先端面を遮蔽する遮蔽位置に傾斜させて、フェルールの先端面を遮蔽して、光コネクタプラグの先端から光が照射するのを容易に且つ確実に遮断することができ、光コネクタプラグの安全性を高めることができる。また、プラグフレームがプラグハウジング内を移動するだけで、遮蔽板が非遮蔽位置に傾斜し、遮蔽板は、非遮蔽位置でプラグフレームがプラグハウジングの光接続位置への移動を許容するため、光コネクタプラグの照射光の遮蔽を容易に且つ確実に解除して光接続を行うことができる。また、遮蔽板及び動作板は、プラグハウジング保持孔内に設けられているため、光コネクタプラグの外形形状を従来のＳＣ型又はＭＵ型の光コネクタプラグと同等の形状とすることができる。このため、光コネクタプラグを従来のＳＣ型又はＭＵ型の光コネクタアダプタに接続することができ、製造コスト及び導入コストを低減することができる。
【発明を実施するための最良の形態】
【００２８】
以下に本発明を実施形態に基づいて詳細に説明する。
【００２９】
（実施形態１）
図１は、実施形態１に係る本発明の光コネクタプラグの斜視図及び平面図であり、図２は、図１（ｂ）のＡ−Ａ′断面図及びＢ−Ｂ′断面図である。
【００３０】
図示するように、本実施形態の光コネクタプラグ１０は、ＳＣ型の光コネクタアダプタに嵌合するプラグハウジング２０と、プラグハウジング２０内に軸方向に移動自在に保持されたプラグフレーム３０と、光接続を行う光ファイバを保持すると共にプラグフレーム３０の後方から挿入されるフェルール４０と、先端部がプラグフレーム３０の後端部と係合するストップリング５０と、フェルール４０とストップリング５０との間に保持されてフェルール４０を軸方向先端側に向かって付勢する付勢ばね６０とを具備する。
【００３１】
図２に示すように、フェルール４０は、外径が２．５ｍｍで形成されたフェルール用筒状体４１と、フェルール用筒状体４１の一端部に嵌合されたつば部材４２とから構成されている。
【００３２】
フェルール用筒状体４１は、略円筒形状を有し、図示しないその内部には軸方向に貫通して光ファイバを挿入保持する光ファイバ挿入孔が設けられている。このようなフェルール用筒状体４１としては、例えば、ジルコニア等のセラミックス材料、プラスチック材料及び結晶化ガラス、ホウケイ酸ガラス、石英等のガラス材料等を挙げることができる。
【００３３】
また、フェルール用筒状体４１の後端部に嵌合するつば部材４２には、軸方向に亘って光ファイバの外周に被覆を施した光ファイバ心線を挿入保持する光ファイバ心線挿入孔（図示なし）と、外周の円周方向に亘って半径方向に所定量突出するように設けられたつば部４３とが設けられている。
【００３４】
つば部４３の外周には、円周方向に９０度間隔で４箇所、軸方向に亘って同等の幅でキー溝４４が設けられており、このキー溝４４が詳しくは後述するプラグフレーム３０に係合することで、フェルール４０は、プラグフレーム３０に対して軸を中心とした回転方向の移動が規制されている。
【００３５】
なお、このようなキー溝４４の数、位置、深さ及び形状等は特に限定されず、フェルール４０を位置決めさせるプラグフレーム３０に応じて適宜決定すればよい。
【００３６】
また、つば部材４２の材質としては、特に限定されず、例えば、ステンレス鋼、真鍮、鉄等の金属材料やプラスチック等の樹脂材料等を挙げることができる。本実施形態では、つば部材４２をステンレス鋼で形成した。
【００３７】
また、プラグフレーム３０は、中空の四角柱形状を有し、長手方向に亘って貫通したフェルール４０及び付勢ばね６０を挿入可能なフェルール挿入孔３１が設けられている。このフェルール挿入孔３１には、フェルール用筒状体４１の先端部のみを突出させるように、フェルール用筒状体４１の外径よりも大径で、且つつば部４３よりも小径の内径を有するフェルール突出孔３２が設けられている。
【００３８】
また、フェルール挿入孔３１内には、フェルール４０のキー溝４４と係合する突起部（図示なし）が半径方向内側に突出するように２つ設けられている。さらに、プラグフレーム３０には、図２（ａ）に示すように、フェルール挿入孔３１と連通して外周に開口する係合孔３３が２つ形成されている。この係合孔３３に、詳しくは後述するストップリング５０の外周に設けられた係合突起５４が係合することで、プラグフレーム３０とストップリング５０とが係合している。
【００３９】
また、プラグフレーム３０の外周の対向する２面には、第２の突部３４及び第２の規制突部３５がそれぞれ１対設けられており、プラグフレーム３０が詳しくは後述するプラグハウジング２０内に保持された際に、第２の突部３４と第２の規制突部３５とによって軸方向の先端部側及び後端部側への移動が規制された状態で、軸方向に所定量だけ移動自在に保持される。
【００４０】
さらに、このようなプラグフレーム３０の後端部に嵌合するストップリング５０は、光ファイバ心線を挿通可能な貫通した光ファイバ心線挿通孔５１を有する円筒形状の金属材料又はプラスチック等の樹脂材料で形成されている。この光ファイバ心線挿通孔５１の先端側には、付勢ばね６０を挿入可能な連通孔５２が設けられており、光ファイバ心線挿通孔５１と連通孔５２との内径差によって段差部５３が設けられている。
【００４１】
この連通孔５２に付勢ばね６０が保持され、付勢ばね６０にはフェルール４０のつば部材４２の後端部側が挿入されるようになっている。そして、付勢ばね６０の一端がつば部４３の後端面に当接すると共に他端がストップリング５０の段差部５３に当接することで、フェルール４０はプラグフレーム３０に対して先端側に付勢された状態で、つば部４３の先端面がフェルール突出孔３２に当接することで、先端側への移動が規制された状態で付勢保持されている。
【００４２】
このとき、プラグフレーム３０の先端面から突出したフェルール４０の先端面の突出量は、本実施形態では、１．６５〜２．２０ｍｍである。
【００４３】
また、フェルール４０は、上述のようにつば部４３のキー溝４４がフェルール挿入孔３１の突起部に係合することで、軸を中心とした回転方向の移動が規制された状態で保持されている。
【００４４】
また、図２（ａ）に示すように、ストップリング５０の先端部側外周には、プラグフレーム３０の係合孔３３内に突出する係合突起５４が形成されている。この係合突起５４は、先端に向かって外径が漸小するテーパ状の外周面を有し、プラグフレーム３０の係合孔３３に係合することで固定されている。
【００４５】
さらに、ストップリング５０の後端部には、光ファイバの外周に被覆を施した光ファイバ心線に、さらに外周に被覆を施した光ファイバケーブルが保持されるブーツ５５が嵌合されている。このブーツ５５は、ゴム等の弾性材料や、プラスチック等の樹脂材料で形成されている。なお、ブーツ５５は、詳しくは後述するが、プラグフレーム３０をプラグハウジング２０内で移動させる際に把持されるため、把持し易い材料を適宜選択すればよい。
【００４６】
一方、図２（ａ）に示すように、プラグハウジング２０は、中空の四角柱形状を有し、フェルール４０を保持したプラグフレーム３０を軸方向に移動自在に保持するプラグフレーム保持孔２１が軸方向に亘って設けられている。
【００４７】
また、プラグハウジング２０の先端部側には、プラグフレーム保持孔２１内に突出する第１の突部２２が設けられており、この第１の突部２２にプラグフレーム３０の外周に設けられた第２の突部３４が当接することで、プラグフレーム３０はプラグハウジング２０に対して軸方向先端部側への移動が規制されている。
【００４８】
さらに、プラグハウジング２０の後端部側には、プラグフレーム保持孔２１内に突出して後端部側に傾斜面の設けられた第１の規制突部２３が設けられており、この第１の規制突部２３がプラグフレーム３０の外周に設けられた第２の規制突部３５に係合することで、プラグフレーム３０は、プラグハウジング２０内に軸方向後端部側への移動が規制された状態で保持されている。
【００４９】
すなわち、プラグフレーム３０は、プラグハウジング２０の第１の突部２２と第１の規制突部２３との間で軸方向に所定量だけ移動自在に保持されている。
【００５０】
そして、本実施形態では、プラグフレーム３０がプラグハウジング２０の先端部側に移動した位置で光コネクタプラグ１０が他の光コネクタプラグと光コネクタアダプタを介して光接続されるため、この光コネクタプラグ１０が光接続されるプラグフレーム３０のプラグハウジング２０に対する位置を光接続位置とした。また、逆に、プラグフレーム３０がプラグハウジング２０の後端部側に移動し、光接続されないプラグフレーム３０のプラグハウジング２０に対する位置を、詳しくは後述する遮蔽板７０によってフェルール４０の先端面が遮蔽される収納位置とした。
【００５１】
なお、プラグフレーム３０は、従来のＳＣ型の光コネクタプラグのプラグフレームよりもプラグハウジング２０の後端部側に後退できるように設けられている。しかしながら、本実施形態のプラグフレーム３０は、従来のＳＣ型の光コネクタプラグのプラグフレームと同一のものを用いている。これは、従来のＳＣ型光コネクタプラグでは、プラグフレーム３０の第２の規制突部３５が、プラグハウジングの先端部側に設けられてプラグフレーム保持孔と外部とを連通する連通孔内に突出し、第２の規制突部３５が連通孔の開口縁部に当接することで後端部側への移動が規制されているのに対し、本実施形態では、プラグハウジング２０のプラグフレーム保持孔２１の大きさを変更し、プラグフレーム保持孔２１の後端部側に第２の規制突部３５と係合する第１の規制突部２３を設け、第１の規制突部２３によりプラグフレーム３０の後端部側への移動が規制されているためである。
【００５２】
また、図２（ａ）に示すように、プラグハウジング２０の第１の突部２２が設けられた領域の対向する両面には、プラグフレーム保持孔２１と外部とを連通する連通孔２４が設けられており、この連通孔２４を介して、図示しない光コネクタアダプタの爪部とプラグフレーム３０の第２の規制突部３５とを係合するようになっている。
【００５３】
さらに、図１及び図２（ｂ）に示すように、プラグハウジング２０の連通孔２４が設けられていない相対向する面の一方側の外周には、プラグハウジング２０を光コネクタアダプタに接続した際に、光コネクタアダプタに対して軸を中心とした回転方向の位置決めを行う突出したキー２５が設けられている。
【００５４】
また、プラグハウジング２０には、基端部がプラグフレーム保持孔２１の一方側に傾斜自在に保持された遮蔽板７０と、遮蔽板７０よりも内側に傾斜自在に保持されて先端部が遮蔽板７０に当接する動作板８０とが設けられている。また、プラグハウジング２０には、遮蔽板７０がフェルール４０の先端面に対向する位置まで傾斜する遮蔽位置となるように、遮蔽板７０及び動作板８０を位置決め付勢する付勢保持手段９０が設けられている。
【００５５】
遮蔽板７０は、板状部材からなり、基端部がプラグフレーム保持孔２１内の一方側、本実施形態では、連通孔２４が設けられていない相対向する面の一方側に遮蔽板軸７１を介して傾斜自在に保持されている。
【００５６】
また、遮蔽板７０は、先端部が遮蔽板軸７１の設けられた一方側で遮蔽板軸７１よりもプラグハウジング２０の先端側で当接した位置から、基端部が保持された一方側とは反対の他方側の面に向かって遮蔽板軸７１を中心として回転するように設けられており、先端部がプラグフレーム保持孔２１の他方側に移動した際に、所定の傾斜角度で先端部がプラグフレーム保持孔２１の他方側に当接する長さで形成されている。
【００５７】
そして、遮蔽板７０は、先端部がプラグフレーム保持孔２１の他方側に当接して、プラグフレーム保持孔２１を塞ぎ、フェルール４０の先端面を遮蔽する遮蔽位置から、先端部が遮蔽板軸７１の設けられた一方側に当接して、プラグフレーム３０の移動を許容する非遮蔽位置とに傾斜するようになっている。
【００５８】
また、動作板８０は、板状部材からなり、遮蔽板７０の基端部と同じプラグフレーム保持孔２１内の一方側に動作板軸８１を介して傾斜自在に保持されている。また、動作板８０は、先端部が遮蔽板７０に当接して、後述する付勢保持手段９０によって遮蔽板７０と共に傾斜するように設けられている。
【００５９】
このような遮蔽板７０及び動作板８０は、遮蔽位置でフェルール４０及びプラグフレーム３０に干渉しない位置で、且つ光コネクタプラグ１０を光コネクタアダプタに接続した際に光コネクタアダプタ内の割スリーブ等の部材に当接して遮蔽板７０が破壊されない位置に適宜設けられている。
【００６０】
また、遮蔽板７０及び動作板８０の材料は、耐久性がある材料であれば、特に限定されないが、例えば、ステンレス鋼等の金属材料やプラスチック等の樹脂材料等を挙げることができる。本実施形態では、遮蔽板７０及び動作板８０をステンレス鋼で形成した。
【００６１】
なお、遮蔽板７０及び動作板８０が非遮蔽位置となった際に、遮蔽板７０及び動作板８０がプラグフレーム３０に当接してプラグフレーム３０の移動を規制しないように、プラグハウジング２０のプラグフレーム保持孔２１には、遮蔽板７０及び動作板８０が非遮蔽位置となった際に遮蔽板７０及び動作板８０を収容する収容部２６が設けられている。
【００６２】
また、付勢保持手段９０は、遮蔽板７０が遮蔽位置となるように、遮蔽板７０及び動作板８０を付勢して位置決めするものである。詳しくは、本実施形態の付勢保持手段９０は、動作板８０を遮蔽位置から非遮蔽位置となる方向に付勢する、動作板８０の基端部側に設けられたスプリングからなる動作板付勢手段９１と、遮蔽板７０を非遮蔽位置から遮蔽位置となる方向に動作板付勢手段９１よりも大きな付勢力で付勢する、遮蔽板７０の基端部に設けられたスプリングからなる遮蔽板付勢手段９２とで構成されている。
【００６３】
動作板付勢手段９１は、動作板８０を遮蔽状態から非遮蔽状態となる方向に付勢しているため、動作板８０の先端部は、常に遮蔽板７０に当接するようになっている。このため、プラグフレーム３０を収納位置に移動した際に、フェルール４０の先端面に動作板８０が当接して、フェルール４０の先端面及び光ファイバの先端面に傷を付けるのを防止することができる。
【００６４】
また、遮蔽板付勢手段９２は、遮蔽板７０を非遮蔽位置から遮蔽位置となる方向に動作板付勢手段９１の付勢力に抗して付勢しているため、プラグフレーム３０をプラグハウジング２０の収納位置に移動した際に、遮蔽板７０は、遮蔽板付勢手段９２によって遮蔽位置まで付勢される。これにより、遮蔽板７０は、フェルール４０の先端面を遮蔽して光コネクタプラグ１０の先端から光が照射されないようにしている。
【００６５】
また、プラグフレーム３０をプラグハウジング２０の光接続位置に移動した際には、プラグフレーム３０の先端縁部が動作板８０に当接し、動作板８０を傾斜させると共に、傾斜させた動作板８０の先端が遮蔽板７０を遮蔽板付勢手段９２の付勢力に抗して押圧することで、遮蔽板７０を非遮蔽位置まで傾斜する。
【００６６】
ここで、このような光コネクタプラグ１０の遮蔽板７０及び動作板８０の動作について詳細に説明する。図３は、実施形態１の遮蔽板の動作を示す要部断面図である。
【００６７】
まず、図２（ｂ）に示すように、プラグフレーム３０がプラグハウジング２０の後端部側に移動した収納位置では、遮蔽板７０が動作板８０の動作板付勢手段９１の付勢力に抗して遮蔽板付勢手段９２によって付勢され、先端部が基端部の保持されたプラグフレーム保持孔２１の一方側とは反対側の他方側に当接することにより遮蔽位置に位置決めされている。これにより、遮蔽板７０によってフェルール４０の先端面が遮蔽され、フェルール４０の先端面からの照射光を遮蔽している。
【００６８】
この遮蔽位置では、遮蔽板７０は、先端部が基端部の保持されたプラグフレーム保持孔２１の一方側とは反対側の他方側に当接して位置決めされているため、遮蔽板７０は、フェルール４０の先端面に当接せず、フェルール４０の先端面に汚れや傷を生じさせることがない。
【００６９】
また、遮蔽位置では、動作板８０は動作板付勢手段９１によって遮蔽板７０側に付勢されているため、動作板８０もフェルール４０の先端面に当接せず、フェルール４０の先端面に汚れや傷を生じさせることがない。
【００７０】
そして、図３（ａ）に示すように、プラグフレーム３０をプラグハウジング２０の先端部側に移動すると、フェルール４０の先端面が遮蔽板７０に当接するよりも先にプラグフレーム３０の先端縁部が動作板８０に当接して、プラグフレーム３０によって動作板８０が傾斜されると共に傾斜した動作板８０の先端が遮蔽板７０を遮蔽板付勢手段９２の付勢力に抗して押圧することで、遮蔽板７０を傾斜させる。
【００７１】
さらに、図３（ｂ）に示すように、プラグフレーム３０をプラグハウジング２０の先端部側に移動すると、プラグフレーム３０の先端縁部がさらに動作板８０を押し倒して、遮蔽板７０をプラグハウジング２０の一方側に倒れた非遮蔽位置に傾斜させる。このとき、遮蔽板７０及び動作板８０は、プラグハウジング２０に設けられた収容部２６内に収容され、プラグフレーム保持孔２１内に突出することがなく、プラグフレーム３０の光接続位置への移動が許容される。
【００７２】
そして、図３（ｃ）に示すように、遮蔽板７０及び動作板８０が非遮蔽位置、すなわち、収容部２６に収容された状態で、プラグフレーム３０がプラグハウジング２０の光接続位置まで移動する。このとき、遮蔽板７０及び動作板８０は、プラグフレーム３０の外周面でプラグフレーム保持孔２１の一方側に傾斜された非遮蔽位置で保持される。
【００７３】
また、逆に、プラグフレーム３０をプラグハウジング２０の収納位置まで後退させると、非遮蔽位置にある遮蔽板７０は、遮蔽板付勢手段９２の付勢力により遮蔽位置に傾斜し、先端部がプラグフレーム保持孔２１の内面に当接することで遮蔽位置に位置決めされる。これにより、遮蔽板７０がフェルール４０の先端面を遮蔽する。
【００７４】
このように、プラグフレーム３０がプラグハウジング２０内を移動するだけで、遮蔽板７０がフェルール４０の先端面を遮蔽する遮蔽位置と、光コネクタプラグ１０が光接続する際に光接続位置となる非遮蔽位置とに容易に且つ確実に傾斜することができる。これにより、フェルール４０の先端面を遮蔽して、光コネクタプラグ１０の先端から光が照射するのを容易に且つ確実に遮断することができ、光コネクタプラグ１０の安全性を高めることができると共に、光コネクタプラグ１０の光接続を容易に且つ確実に行うことができる。
【００７５】
また、遮蔽板７０及び動作板８０は、プラグフレーム保持孔２１内に設けられているため、光コネクタプラグ１０の外形形状が従来のＳＣ型光コネクタプラグと同等の形状とすることができる。このため、光コネクタプラグ１０を従来のＳＣ型光コネクタアダプタに接続することができ、製造コスト及び導入コストを低減することができる。
【００７６】
さらに、図２に示すように、本実施形態の光コネクタプラグ１０は、プラグフレーム３０、フェルール４０及び付勢ばね６０を従来のＳＣ型の光コネクタプラグに用いられているものと同じものを採用することができるため、製造コストを低減することができる。また、ストップリング５０も従来のＳＣ型の光コネクタプラグに用いられたものと同じものを採用することができるが、本発明では、ストップリング５０の後端部側を把持してプラグフレーム３０を移動するため、ストップリング５０の後端部を従来のＳＣ型の光コネクタプラグに用いられたものより長くしてもよく、また、従来の光コネクタプラグと同じストップリングを用いて従来より長いブーツ５５を用いるようにしてもよい。
【００７７】
なお、上述した遮蔽板７０の遮蔽位置から非遮蔽位置への一連の動作は、光コネクタプラグ１０を図示しない光コネクタアダプタに接続する際に、プラグフレーム３０の後端部側、本実施形態では、ストップリング５０及びブーツ５５を把持して光コネクタプラグ１０を挿入することで行うことができる。すなわち、ストップリング５０及びブーツ５５を把持して光コネクタプラグ１０を光コネクタアダプタに挿入すると、プラグハウジング２０が光コネクタアダプタに挿入されて挿入方向の移動が規制され、プラグフレーム３０のみをプラグハウジング２０の先端側の光接続位置まで移動することができる。これにより、上述したように、遮蔽板７０を遮蔽位置から非遮蔽位置まで傾斜させることができる。
【００７８】
逆に、遮蔽板７０を非遮蔽位置から遮蔽位置に移動するには、光コネクタアダプタから光コネクタプラグ１０を抜く際に、プラグハウジング２０の外周を把持して完全に引き抜く直前までの所定量だけ引き抜くことで、プラグハウジング２０の連通孔２４を介してプラグフレーム３０の第２の突部３４に係合した光コネクタアダプタの爪部を外した後、プラグフレーム３０を把持して引き抜くことで、プラグフレーム３０はプラグハウジング２０の収納位置まで後退し、フェルール４０の先端面が遮蔽板７０によって遮蔽される。
【００７９】
このように、本実施形態の光コネクタプラグ１０は、光コネクタアダプタへの着脱に連動させて、遮蔽板７０により照射光を遮蔽及び非遮蔽状態にすることができる。このため、光コネクタプラグ１０を非遮蔽状態にして光コネクタアダプタに接続する必要がなく、光コネクタプラグ１０が単体の状態では、光コネクタプラグ１０からの照射光を完全に遮断して安全性を高めることができる。
【００８０】
（実施形態２）
図４は、実施形態２に係る光コネクタプラグの斜視図及び平面図であり、図５は、図４（ｂ）のＣ−Ｃ′要部断面図及びＤ−Ｄ′要部断面図である。なお、上述した実施形態と同様の部材には同一の符号を付して重複する説明は省略する。
【００８１】
図４及び５に示すように、光コネクタプラグ１０Ａには、プラグハウジング２０Ａ内に、上述した実施形態１と同様の、フェルール４０、ストップリング５０及び図示しない付勢ばねが保持されたプラグフレーム３０が移動自在に保持されている。
【００８２】
プラグハウジング２０Ａには、プラグフレーム保持孔２１の一方側に基端部が遮蔽板軸７１及び動作板軸８１によってそれぞれ傾斜自在に保持された遮蔽板７０及び動作板８０Ａが設けられている。
【００８３】
遮蔽板７０は、上述した実施形態１と同様に、プラグフレーム保持孔２１の基端部が保持された一方側とは反対の他方側に先端部が当接する長さで形成されている。
【００８４】
また、動作板８０Ａは、遮蔽板７０よりも幅広に形成され、先端部に遮蔽板７０を挿通する挿通孔８２が設けられている。
【００８５】
そして、動作板８０Ａは、遮蔽板７０が遮蔽位置となった際に、挿通孔８２を挿通した遮蔽板７０によって、フェルール４０の先端面側への傾斜が規制されている。このため、本実施形態の付勢保持手段９０Ａとして、遮蔽板７０の基端部に遮蔽板７０が非遮蔽位置から遮蔽位置に向かって付勢する遮蔽板付勢手段９２のみが設けられている。
【００８６】
このような構成としても上述した実施形態１と同様に、プラグフレーム３０がプラグハウジング２０Ａ内を移動するだけで、遮蔽板７０がフェルール４０の先端面を遮蔽する遮蔽位置と、光コネクタプラグ１０Ａが光接続する際に光接続位置となる非遮蔽位置とに容易に且つ確実に傾斜することができる。これにより、フェルール４０の先端面を遮蔽して、光コネクタプラグ１０Ａの先端から光が照射するのを容易に且つ確実に遮断することができ、光コネクタプラグ１０Ａの安全性を高めることができると共に、光コネクタプラグ１０Ａの光接続を容易に且つ確実に行うことができる。
【００８７】
また、遮蔽板７０及び動作板８０Ａは、プラグハウジング２０Ａ内に設けられているため、光コネクタプラグ１０Ａの外形形状が従来のＳＣ型光コネクタプラグと同等の形状とすることができる。このため、光コネクタプラグ１０Ａを従来のＳＣ型光コネクタアダプタに接続することができ、製造コスト及び導入コストを低減することができる。
【００８８】
さらに、遮蔽板７０及び動作板８０Ａを位置決め付勢する付勢保持手段９０Ａとして、遮蔽板７０に遮蔽板付勢手段９２のみを設ければよいため、製造工程を簡略化することができる。
【００８９】
なお、本実施形態では、付勢保持手段９０Ａとして、遮蔽板７０を非遮蔽位置から遮蔽位置に向かって付勢する遮蔽板付勢手段９２のみを設けるようにしたが、特にこれに限定されず、例えば、動作板８０Ａを非遮蔽位置から遮蔽位置に向かって付勢する付勢保持手段のみを設けるようにしてもよく、上述した実施形態１と同様に、遮蔽板付勢手段９２と動作板付勢手段９１との両者を設けるようにしてもよい。
【００９０】
また、本実施形態では、遮蔽板７０を先端部がプラグフレーム保持孔２１の内面に当接する長さとして、遮蔽位置を位置決めするようにしたが、遮蔽板７０は、動作板８０Ａによって、フェルール４０の先端面側への傾斜が規制されるため、遮蔽板の先端部がプラグフレーム保持孔２１内に当接しない長さとしてもよいが、遮蔽板が非遮蔽位置となった際に、動作板８０Ａの挿通孔８２から抜き出ない長さとする必要がある。
【００９１】
（実施形態３）
図６は、本発明の実施形態３に係る光コネクタプラグの斜視図及び平面図であり、図７は、図６（ｂ）のＥ−Ｅ′要部断面図及びＦ−Ｆ′要部断面図である。なお、上述した実施形態と同様の部材には、同一の符号を付して重複する説明は省略する。
【００９２】
図６及び図７に示すように、光コネクタプラグ１０Ｂには、プラグハウジング２０Ｂ内に、上述した実施形態１と同様の、フェルール４０、ストップリング５０及び図示しない付勢ばねが保持されたプラグフレーム３０が移動自在に保持されている。
【００９３】
プラグハウジング２０Ｂには、プラグフレーム保持孔２１の一方側に基端部が遮蔽板軸７１及び動作板軸８１によってそれぞれ傾斜自在に保持された遮蔽板７０Ｂ及び動作板８０Ｂが設けられている。
【００９４】
遮蔽板７０Ｂの幅方向両側の対向する領域には、一対の切り欠き部７２が設けられており、切り欠き部７２によって幅狭部７３が設けられている。
【００９５】
また、動作板８０Ｂは、遮蔽板７０Ｂよりも幅広に形成され、先端部側の略中央部には長さ方向に向かって先端縁部に開口するように切り欠いた差し込み部８３が設けられている。この差し込み部８３は、遮蔽板７０Ｂの幅よりも小さな幅で且つ幅狭部７３よりも若干大きな幅で形成されており、動作板８０Ｂの差し込み部８３に遮蔽板７０Ｂの幅狭部７３が挿入された状態で、遮蔽板７０Ｂと動作板８０Ｂとが係合している。
【００９６】
そして、このように遮蔽板７０Ｂと動作板８０Ｂとが先端部側で係合しているため、遮蔽板７０Ｂが遮蔽位置となった際に、フェルール４０の先端面側への傾斜が動作板８０Ｂによって規制される。この状態は、遮蔽板７０Ｂの遮蔽板軸７１、動作板８０Ｂの動作板軸８１及び遮蔽板７０Ｂと動作板８０Ｂとが交差した点との３点の所定位置で決定される。
【００９７】
したがって、遮蔽板７０Ｂを遮蔽位置に位置決めするために、遮蔽板７０Ｂの先端部を基端部が保持されたプラグフレーム保持孔２１の一方側とは反対の他方側に当接するような長さで形成する必要がなくなり、遮蔽板７０Ｂの傾斜中心である遮蔽板軸７１をプラグハウジング２０Ｂの先端部側とすることができる。
【００９８】
さらに、動作板８０Ｂは、遮蔽板７０Ｂが遮蔽位置となった際に、差し込み部８３に挿通された遮蔽板７０Ｂによって、フェルール４０の先端面側への傾斜が規制されている。このため、本実施形態の付勢保持手段９０Ａとして、遮蔽板７０Ｂの基端部に遮蔽板７０Ｂが非遮蔽位置から遮蔽位置に向かって付勢する遮蔽板付勢手段９２のみが設けられている。
【００９９】
このような構成としても上述した実施形態１と同様に、プラグフレーム３０がプラグハウジング２０Ｂ内を移動するだけで、遮蔽板７０Ｂがフェルール４０の先端面を遮蔽する遮蔽位置と、光コネクタプラグ１０Ｂが光接続する際に光接続位置となる非遮蔽位置とに容易に且つ確実に傾斜することができる。これにより、フェルール４０の先端面を遮蔽して、光コネクタプラグ１０Ｂの先端から光が照射するのを容易に且つ確実に遮断することができ、光コネクタプラグ１０Ｂの安全性を高めることができると共に、光コネクタプラグ１０Ｂの光接続を容易に且つ確実に行うことができる。
【０１００】
また、遮蔽板７０Ｂ及び動作板８０Ｂは、プラグハウジング２０Ｂ内に設けられているため、光コネクタプラグ１０Ｂの外形形状が従来のＳＣ型光コネクタプラグと同等の形状とすることができる。このため、光コネクタプラグ１０Ｂを従来のＳＣ型光コネクタアダプタに接続することができ、製造コスト及び導入コストを低減することができる。
【０１０１】
さらに、遮蔽板７０Ｂ及び動作板８０Ｂを位置決め付勢する付勢保持手段９０Ａとして、遮蔽板７０Ｂに遮蔽板付勢手段９２のみを設ければよいため、製造工程を簡略化することができる。
【０１０２】
なお、本実施形態では、付勢保持手段９０Ａとして、遮蔽板７０Ｂを非遮蔽位置から遮蔽位置に向かって付勢する遮蔽板付勢手段９２のみを設けるようにしたが、特にこれに限定されず、例えば、動作板８０Ｂを非遮蔽位置から遮蔽位置に向かって付勢する付勢保持手段のみを設けるようにしてもよく、上述した実施形態１と同様に、遮蔽板付勢手段９２と動作板付勢手段９１との両者を設けるようにしてもよい。
【０１０３】
（実施形態４）
図８は、本発明の実施形態４に係る光コネクタプラグの斜視図及び分解斜視図であり、図９は、遮蔽板組立体の分解斜視図である。なお、上述した実施形態と同様の部材には同一の符号を付して重複する説明は省略する。
【０１０４】
図８に示すように、本実施形態の光コネクタプラグ１０Ｃは、プラグハウジング２０Ｃに、遮蔽板組立体１００が固定されて構成されている以外、上述した実施形態１と同様の構成である。
【０１０５】
図９に示すように、遮蔽板組立体１００は、遮蔽板枠１０１と、遮蔽板枠１０１に回転自在に保持された遮蔽板７０及び動作板８０Ｃと、遮蔽板７０及び動作板８０Ｃを位置決め付勢する付勢保持手段９０Ａとで構成されている。
【０１０６】
遮蔽板枠１０１は、板状部材からなり、遮蔽板７０及び動作板８０Ｃが非遮蔽位置となった際に、遮蔽板７０及び動作板８０Ｃがプラグフレーム３０の移動を規制しないように、遮蔽板７０及び動作板８０Ｃが収容される収容部２６が設けられている。この収容部２６は、両側に比べて厚みが薄く形成され、収容部２６の両側は、遮蔽板７０及び動作板８０Ｃが傾斜自在に保持されると共に遮蔽板枠１０１自体の剛性を高めるための枠部１０１ａとなっている。また、遮蔽板枠１０１は、上述した実施形態１のプラグハウジング２０の一部と同じ外形形状で形成されている。
【０１０７】
なお、遮蔽板枠１０１は、プラスチック等の樹脂を成形することにより形成することができる。このように遮蔽板枠１０１を樹脂で成形することで、遮蔽板枠１０１を高精度に且つ低コストで容易に大量生産することができる。
【０１０８】
遮蔽板７０は、上述した実施形態１と同様に、板状部材からなり、基端部が遮蔽板枠１０１の枠部１０１ａに遮蔽板軸７１を介して傾斜自在に保持されている。
【０１０９】
動作板８０Ｃは、板状部材からなり、基端部が遮蔽板枠１０１の枠部１０１ａに動作板軸８１を介して傾斜自在に保持されている。また、動作板８０Ｃの遮蔽板７０に当接する先端部には、円弧状に切り欠いた当接凹部８４が設けられている。この当接凹部８４は、プラグフレーム３０が収納位置に位置した状態で、動作板８０Ｃがフェルール４０側に傾斜した際に、動作板８０Ｃの当接凹部８４がフェルール用筒状体４１の側面に当接するように設けられている。すなわち、動作板８０Ｃが傾斜した際に、動作板８０Ｃの先端がフェルール用筒状体４１の先端面に当接すると、フェルール用筒状体４１の先端面に傷を付けてしまい、光接続時に光損失の増大などの不具合が生じてしまうからである。
【０１１０】
なお、遮蔽板７０及び動作板８０Ｃの材料としては、耐久性がある材料であれば、特に限定されず、例えば、ステンレス鋼等の金属材料やプラスチック等の樹脂材料等を挙げることができる。本実施形態では、遮蔽板７０及び動作板８０Ｃをステンレス鋼で形成した。
【０１１１】
付勢保持手段９０Ａは、上述した実施形態２と同様に、遮蔽板７０を遮蔽位置から非遮蔽位置となる方向に付勢する、遮蔽板７０の基端部に設けられたスプリングからなる遮蔽板付勢手段９２で構成されている。すなわち、本実施形態の付勢保持手段９０Ａは、動作板付勢手段９１が設けられておらず、遮蔽板付勢手段９２のみで構成されている。
【０１１２】
このような、遮蔽板枠１０１、遮蔽板７０、動作板８０Ｃ及び付勢保持手段９０Ａを予め組み立てることで、遮蔽板組立体１００が形成されている。そして、この遮蔽板組立体１００は、プラグハウジング２０Ｃに固定される。すなわち、図８に示すように、プラグハウジング２０Ｃのキー２５とは反対側には、プラグフレーム保持孔２１と外部とを連通する固定孔２７が設けられている。この固定孔２７に遮蔽板組立体１００をはめ込み、接着剤による接着又は溶着などにより固定することで、遮蔽板７０は、プラグハウジング２０のプラグフレーム保持孔２１内で傾斜可能となり、フェルール４０の先端を遮蔽することができる。
【０１１３】
このように、本実施形態の光コネクタプラグ１０Ｃは、プラグハウジング２０Ｃに、遮蔽板枠１０１、遮蔽板７０、動作板８０Ｃ及び付勢保持手段９０Ａを予め組み立てた遮蔽板組立体１００を固定することで、組み立て作業の作業性を向上することができ、組立時間を短縮することができると共に組立コストを低減することができる。
【０１１４】
また、本実施形態の光コネクタプラグ１０Ｃは、プラグフレーム３０、フェルール４０、ストップリング５０及び付勢ばね６０等を従来のＳＣ型の光コネクタプラグに用いられたものと同じものを採用することができる。また、プラグハウジング２０Ｃも、従来のＳＣ型の光コネクタプラグに用いられたものと同じものに、遮蔽板組立体１００が固定される固定孔２７を設けるだけなので、製造コストを低減することができる。
【０１１５】
（他の実施形態）
以上、本発明の各実施形態を説明したが、本発明の光コネクタプラグ及び光コネクタは、上述したものに限定されるものではない。
【０１１６】
例えば、上述した実施形態１〜４では、ＳＣ型の光コネクタアダプタに係合するＳＣ型の光コネクタプラグ１０〜１０Ｃを例示したが、特にこれに限定されるものではなく、例えば、ＭＵ型の光コネクタプラグ及び光コネクタに本発明を採用しても同様の効果を得ることができる。なお、フェルールの先端面が光ファイバ軸に直交する面に対して傾斜した凸面状に形成された斜めＰＣコネクタにも、本発明を適用することができる。このような斜めＰＣコネクタは、フェルールの先端面が傾斜しているため、フェルールの先端面から照射される照射光の範囲が広くなるが、上述した実施形態１〜４の何れの遮蔽板７０、７０Ｂであっても、斜めＰＣコネクタのフェルールの先端面を遮蔽することができる。特に、上述した実施形態３の遮蔽板７０Ｂは、実質的に照射光を遮蔽する領域が幅広に形成されるため、より確実に照射光を遮蔽することができる。
【０１１７】
また、上述した実施形態１〜４では、プラグハウジング２０〜２０Ｃのキー２５が設けられた面とは反対側のプラグフレーム保持孔２１内に遮蔽板７０、７０Ｂ及び動作板８０〜８０Ｃを設けるようにしたが、遮蔽板及び動作板を設ける位置はプラグフレーム保持孔２１内であれば特に限定されない。
【０１１８】
さらに、上述した実施形態１〜４では、遮蔽板７０、７０Ｂ及び動作板８０〜８０Ｃが、遮蔽板軸７１及び動作板軸８１によってプラグハウジング２０〜２０Ｂ又は遮蔽板枠１０１に回転自在に保持されるようにしたが、特にこれに限定されず、例えば遮蔽板及び動作板を板バネとして、その基端部をプラグハウジング２０〜２０Ｂ又は遮蔽板枠１０１に固定することで、プラグフレーム保持孔２１内で傾斜自在としてもよい。このような場合、遮蔽板及び動作板自体が付勢保持手段として作用するため、別途、付勢保持手段を設ける必要がない。
【図面の簡単な説明】
【０１１９】
【図１】本発明の実施形態１に係る光コネクタプラグの斜視図及び平面図である。
【図２】本発明の実施形態１に係る光コネクタプラグの要部断面図である。
【図３】本発明の実施形態１に係る光コネクタプラグの遮蔽板の動作を示す断面図である。
【図４】本発明の実施形態２に係る光コネクタプラグの斜視図及び平面図である。
【図５】本発明の実施形態２に係る光コネクタプラグの要部断面図である。
【図６】本発明の実施形態３に係る光コネクタプラグの斜視図及び平面図である。
【図７】本発明の実施形態３に係る光コネクタプラグの要部断面図である。
【図８】本発明の実施形態４に係る光コネクタプラグの斜視図及び分解斜視図である。
【図９】本発明の実施形態４に係る遮蔽板組立体の分解斜視図である。
【符号の説明】
【０１２０】
１０、１０Ａ、１０Ｂ、１０Ｃ  光コネクタプラグ
２０、２０Ａ、２０Ｂ、２０Ｃ  プラグハウジング
２１  プラグフレーム保持孔
３０  プラグフレーム
４０  フェルール
４１  フェルール用筒状体
４２  つば部材
５０  ストップリング
６０  付勢ばね
７０、７０Ｂ  遮蔽板
８０、８０Ａ、８０Ｂ、８０Ｃ  動作板
９０、９０Ａ  付勢保持手段
９１  動作板付勢手段
９２  遮蔽板付勢手段
１００  遮蔽板組立体
１０１  遮蔽板枠
【図１】
2005189839.tif 000003
【図２】
2005189839.tif 000004
【図３】
2005189839.tif 000005
【図４】
2005189839.tif 000006
【図５】
2005189839.tif 000007
【図６】
2005189839.tif 000008
【図７】
2005189839.tif 000009
【図８】
2005189839.tif 000010
【図９】
2005189839.tif 000011